(57)【要約】 【課題】  ケースの変形に起因するカバーの離脱を防止する。【解決手段】  カバー３０には、その側縁から略直角に延出して、側板１３ａ，１３ｂの外側面に沿う一対の規制片３５が形成され、側板１３ａ，１３ｂの外側面には、規制片３５の外側面に対して重なる規制壁２０が形成されている。側板１３ａ，１３ｂと規制片３５が共に外側へ変位しようとするときの傾き姿勢は、側板１３ａ，１３ｂと規制片３５とで互いに逆となる。ここで、規制片３５は側板１３ａ，１３ｂと規制壁２０との間で挟み付けられているため、側板１３ａ，１３ｂと規制片３５は、互いに略平行な姿勢を維持するように動きを拘束され、結果的に、ケース１０の拡開変形が規制され、ケース１０の拡開変形に起因するカバー３０の離脱が防止される。【選択図】  図１０
2006166616.tif 000002
【特許請求の範囲】
【請求項１】
合成樹脂からなり、互いに略平行な一対の側板を基板の左右両側縁から延出させた略Ｕ字形断面をなす細長いケースと、
前記ケースに対し、その開口部を塞ぐように組み付けられるカバーと、
前記ケースの開口縁から内側へ突出する一対の係止爪とを備えてなり、
前記ケースに組み付けられた前記カバーの側縁部に対して前記係止爪が係止することで、前記カバーが組み付け状態に保持されるようになっているハーネスプロテクタであって、
前記カバーには、その側縁から略直角に延出することで、前記側板の外側面に沿うように配される一対の規制片が形成され、
前記側板の外側面には、前記規制片の外側面に対して重なるように位置する規制壁が形成されていることを特徴とするハーネスプロテクタ。
【請求項２】
前記規制片の基端部に、前記係止爪を貫通させる貫通孔が形成されていることを特徴とする請求項１記載のハーネスプロテクタ。
【請求項３】
前記側板の一部が外側への弾性変位可能な係止片とされ、
前記係止爪が、前記係止片の自由端部に形成されており、
前記貫通孔には、前記係止片が外側への弾性変位を可能に貫通され、
前記規制片の基端部側領域における前記側板との対向面には、前記係止片の外側への弾性変位を許容する撓み空間が形成されていることを特徴とする請求項２記載のハーネスプロテクタ。
【請求項４】
前記規制壁は、前記側板の前記基板からの延出方向と略平行なリブを介して前記側板に連なっていることを特徴とする請求項１ないし請求項３のいずれかに記載のハーネスプロテクタ。
【発明の詳細な説明】
【技術分野】
【０００１】
本発明は、ハーネスプロテクタに関するものである。
【背景技術】
【０００２】
例えば、自動車のインジェクタに給電するためのハーネスを保護する等の目的で、ハーネスを収容するための細長い筒状のプロテクタが用いられるが、この種のプロテクタとしては、基板の両側縁から一対の側板を立ち上げた略Ｕ字形断面をなす合成樹脂製のケースと、ケースの開口部を塞ぐ略平板状のカバーとを組み付けて構成されたものがある。ケースには、その開口縁から内側へ突出する係止爪が形成されている。ケースの開口部に取り付けられたカバーの両側縁には係止爪が係止され、この係止作用によりカバーがケースに固定されるようになっている。尚、ハーネスプロテクタの一例としては、特許文献１に記載されているもの等が知られている。
【特許文献１】特開２００３−２３０２２２公報
【発明の開示】
【発明が解決しようとする課題】
【０００３】
プロテクタは、温度変化の大きいエンジンルーム内に配置される場合があるが、この場合、合成樹脂製のケースが熱のために両側板を拡開させるように変形する虞がある。このような変形を生じると、係止爪が、カバーから遠ざかってカバーの側縁部から解離してしまい、その結果、カバーがケースから離脱することになる。  
本発明は上記のような事情に基づいて完成されたものであって、ケースの変形に起因するカバーの離脱を防止することを目的とする。
【課題を解決するための手段】
【０００４】
上記の目的を達成するための手段として、請求項１の発明は、合成樹脂からなり、互いに略平行な一対の側板を基板の左右両側縁から延出させた略Ｕ字形断面をなす細長いケースと、前記ケースに対し、その開口部を塞ぐように組み付けられるカバーと、前記ケースの開口縁から内側へ突出する一対の係止爪とを備えてなり、前記ケースに組み付けられた前記カバーの側縁部に対して前記係止爪が係止することで、前記カバーが組み付け状態に保持されるようになっているハーネスプロテクタであって、前記カバーには、その側縁から略直角に延出することで、前記側板の外側面に沿うように配される一対の規制片が形成され、前記側板の外側面には、前記規制片の外側面に対して重なるように位置する規制壁が形成されているところに特徴を有する。
【０００５】
請求項２の発明は、請求項１に記載のものにおいて、前記規制片の基端部に、前記係止爪を貫通させる貫通孔が形成されているところに特徴を有する。
【０００６】
請求項３の発明は、請求項２に記載のものにおいて、前記側板の一部が外側への弾性変位可能な係止片とされ、前記係止爪が、前記係止片の自由端部に形成されており、前記貫通孔には、前記係止片が外側への弾性変位を可能に貫通され、前記規制片の基端部側領域における前記側板との対向面には、前記係止片の外側への弾性変位を許容する撓み空間が形成されているところに特徴を有する。
【０００７】
請求項４の発明は、請求項１ないし請求項３のいずれかに記載のものにおいて、前記規制壁は、前記側板の前記基板からの延出方向と略平行なリブを介して前記側板に連なっているところに特徴を有する。
【発明の効果】
【０００８】
＜請求項１の発明＞
ケースの変形形態としては、側板が基板の側縁部（側板の基端縁部）を支点として傾こうとするのに対し、カバーの規制片は、カバーの側縁部（側板の自由端縁の近傍）を支点として傾くこうとするため、側板と規制片が共に外側へ変位しようとするときの傾き姿勢は、側板と規制片とで互いに逆となる。ところが、規制片は側板と規制壁との間で挟み付けられているため、側板と規制片は、互いに略平行な姿勢を維持するように動きを拘束されることになり、結果的に、ケースの拡開変形が規制されることになる。これにより、カバーに対する係止爪の係止機能の信頼性が向上し、カバーのケースからの離脱を確実に防止することができる。
【０００９】
＜請求項２の発明＞
規制片の基端部に係止爪を貫通させる貫通孔を形成することで、ケースの長さ方向において規制片と係止爪をほぼ同じ位置に配置させるようにしたので、規制片によって側板の拡開変位を規制する機能の信頼性が向上する。
【００１０】
＜請求項３の発明＞
カバーをケースの開口部に組み付ける際には、係止片が外側へ弾性変位することにより、カバーの組付けが容易となる。
【００１１】
＜請求項４の発明＞
規制壁は、側板の基板からの延出方向と略平行なリブを介して側板に連なっているので、側板は、リブによって曲げ剛性が高められている。
【発明を実施するための最良の形態】
【００１２】
＜実施形態１＞
以下、本発明を具体化した実施形態１を図１乃至図１２を参照して説明する。本実施形態のハーネスプロテクタは、複数本の電線を束ねた細長いハーネス（図示せず）を収容するものであって、図示しない金属製の固定具により機器等（図示せず）の上面に固定されるようになっている。  
ハーネスプロテクタは、全体として長さ方向両端面が開放された細長い角筒状をなし、合成樹脂製のケース１０と、同じく合成樹脂製のカバー３０とを組み付けて構成されている。
【００１３】
ケース１０は、下面が全長に亘って開口部１１とされた略Ｕ字形（若しくは、「コ」字形）断面のものであり、基板１２と、この基板１２の左右両側縁から下方へ片持ち状に延出された一対の略平行な側板１３ａ，１３ｂとを一体形成したものである。一方の側板１３ａには、その外面側へ突出する３つの筒状の保持部１４が、長さ方向に間隔を空けて一体に形成されている。保持部１４の内部には、軸線を上下方向に向けたビスが、軸方向への相対変位を規制され、且つ軸周りの回転を可能に収容されるようになっており、このビスを機器等の雌ネジ孔に螺合することによって、ハーネスプロテクタが機器等に固定されるようになっている。
【００１４】
両側板１３ａ，１３ｂの下端部内面には、夫々、ほぼ全長に亘って連続する段差状の受け部１５が形成され、この受け部１５にカバー３０が当接されるようになっている。また、両側板１３ａ，１３ｂにおける長さ方向に間隔を空けた複数位置には、係止爪１８を有する係止片１６が形成されている。係止片１６は、側板１３ａ，１３ｂの一部を構成するものである。つまり、係止片１６は、方形板状をなし、側板１３ａ，１３ｂに対して面一状に配されている。側板１３ａ，１３ｂには、その下端縁から上方へ延びる一対のスリット１７が形成され、この両スリット１７の間の部分が、下方へ片持ち状に延出した形態の係止片１６となっている。したがって、この係止片１６は、その基端（上端）を支点として基板１２に対して傾きつつ外側又は内側へ弾性変位し得るようになっている。他方（保持部１４の形成されていない側）の側板１３ｂに形成された係止片１６の一部は、保持部１４と対向するように配されている。また、他方の側板１３ｂの係止片１６のうち保持部１４と対応しない係止片１６は、一方の側板１３ａに形成した係止片１６と対向するように配置されている。つまり、両側板１３ａ，１３ｂの間では、係止片１６同士が対向する配置、若しくは係止片１６と保持部１４とが対向する配置のいずれかとなっている。そして、各係止片１６の下端部（自由端部）には、内側へ突出する係止爪１８が形成されている。この係止爪１８は、ケース１０の下端よりも僅かに下方へ突出する高さに配されている。
【００１５】
さて、両側板１３ａ，１３ｂには、各係止片１６と対応するように規制壁２０が一体に形成されている。規制壁２０は、側板１３ａ，１３ｂと平行な方形板状をなし、側板１３ａ，１３ｂの外側面に対し、後述する規制片３５の厚さに相当する寸法の間隔を空けて対向している。規制壁２０は、その左右両側縁に沿って上下方向に延びる一対のリブ２１を介して側板１３ａ，１３ｂの外側面に連結されている。一対のリブ２１は、スリット１７における係止片１６とは反対側の開口縁に沿って配されている。規制壁２０の上端は、ケース１０の基板１２よりも少し低い高さであって、スリット１７の上端よりも高い位置にある。規制壁２０の下端は、側板１３ａ，１３ｂの下端と同じ高さに位置しており、係止片１６の下端部と係止爪１８は規制壁２０から下方へ突出している。規制壁２０、リブ２１、側板１３ａ，１３ｂ及び係止片１６により、下方へ開放された扁平筒状の収容空間２２が構成され、この収容空間２２内に下から規制片３５が嵌入されるようになっている。また、規制壁２０の上端縁には側板１３ａ，１３ｂ側へリブ状に張り出す張出部２３が形成され、この張出部２３と側板１３ａ，１３ｂの外側面との間には、収容空間２２を外部へ連通させる形態であって、側板１３ａ，１３ｂと平行な細長い連通孔２４が形成されている。
【００１６】
カバー３０は、ケース１０に対し、その下面の開口部１１を塞ぐように組み付けられるものであって、全体として細長い形状をなす。尚、金型成型された状態では、カバー３０の一方の側縁部と、ケース１０における保持部１４とは反対側の側板１３ｂの下端縁とが、連結部３１を介して連結された状態となっている。カバー３０の下面には、方形に凹ませた形態の凹部３２が複数形成されている。カバー３０の左右両外側面には、その概ね下半分領域から外側方へリブ状に突出する係止部３３が、カバー３０の全長に亘って形成されている。
【００１７】
また、係止部３３におけるケース１０の係止片１６と対応する複数位置には、係止部３３の外側面を部分的に外側方へ突出させた形態の基端部３４が形成され、各基端部３４からは、方形板状をなす規制片３５が、上方へ片持ち状に延出されている。基端部３４には、カバー３０（ケース１０）の長さ方向に沿って細長く開口する貫通孔３６が形成されている。また、規制片３５の内面には、規制片３５の全幅に亘って規制片３５の板厚を薄くするように切欠することで撓み空間３７が形成されている。この撓み空間３７は、規制片３５（基端部３４）の下端面（基端部３４側の端面）から上方へ所定高さ（カバー３０をケース１０に組み付けた状態において、係止片１６の上端、即ち係止片１６の撓みの支点（スリット１７の上端）よりも僅かに下方の高さ）に亘って形成されている。この撓み空間３７は、下端部（規制片３５の下端面）において貫通孔３６と連通している。さらに、規制片３５の外側面には、その上端縁から下方（撓み空間３７よりも高い位置）へ規制片３５の板厚が薄くなるように切欠した形態の肉抜き部３８が形成されている。また、互いに係止片１６同士が対向する位置においては、カバー３０の長さ方向に隣接する凹部３２同士の境界部３９が配置されているが、この境界部３９は、肉厚が凹部３２よりも厚くて、強度が高くなっているため、カバー３０が係止片１６同士を離間させるような変形を生じることはない。
【００１８】
次に、本実施形態の作用を説明する。  
ケース１０にカバー３０を組み付ける際には、カバー３０を下方からケース１０の下面の開口部１１に接近させる。接近する過程では、規制片３５が収容空間２２内（係止片１６及び側板１３ａ，１３ｂと規制壁２０との間）への嵌入を開始し、その後、係止部３３の上面（貫通孔３６の孔縁）が係止爪１８のテーパ面１８ａに当接する。すると、テーパ面１８ａの傾斜により、係止片１６が、撓み空間３７内に進入しつつ外側へ弾性変形し、これにより、係止部３３が係止爪１８を通過しつつカバー３０の組付けが更に進む。このとき、弾性変形する係止片１６は、貫通孔３６内を貫通することになる。
【００１９】
そして、カバー３０が正規の組み付け状態に至ると、係止部３３が受け部１５に当接することで、それ以上のカバー３０の組み付け方向（上方）への変位が規制されると同時に、係止片１６が弾性復帰して係止爪１８の係止面１８ｂが受け部１５の下面（貫通孔３６の下面側の孔縁）に対して下から係止し、もって、カバー３０がケース１０に対して上下へ方向への相対変位を規制された状態に保持される。また、カバー３０の略上半部分が両側板１３ａ，１３ｂの間に嵌合されることにより、カバー３０のケース１０に対する左右方向（ハーネスプロテクタの長さ方向と直交する方向）における相対変位を規制される。
【００２０】
本実施形態のハーネスプロテクタにおけるケース１０の変形形態としては、側板１３ａ，１３ｂが基板１２の側縁部（側板１３ａ，１３ｂの基端縁部）を支点として傾くこうとするのに対し、カバー３０の規制片３５は、カバー３０の側縁部（側板１３ａ，１３ｂの自由端縁の近傍）を支点として傾くこうとするため、側板１３ａ，１３ｂと規制片３５が共に外側へ変位しようとするときの傾き姿勢は、側板１３ａ，１３ｂと規制片３５とで互いに逆となる。  
しかし、カバー３０には、その側縁から略直角に延出することで、側板１３ａ，１３ｂの外側面に沿うように配される一対の規制片３５を形成し、側板１３ａ，１３ｂの外側面には、規制片３５の外側面に対して重なるように位置する規制壁２０を形成し、規制片３５を側板１３ａ，１３ｂと規制壁２０との間で挟み付けるようにしている。これにより、側板１３ａ，１３ｂと規制片３５は、互いに略平行な姿勢を維持するように動きを拘束されることになり、結果的に、ケース１０の拡開変形が規制されることになる。これにより、カバー３０に対する係止爪１８の係止機能の信頼性が向上し、カバー３０のケース１０からの離脱を確実に防止することができる。
【００２１】
また、規制片３５の基端部３４に、係止爪１８を貫通させる貫通孔３６を形成し、ケース１０の長さ方向において規制片３５と係止爪１８をほぼ同じ位置に配置させるようにしたので、規制片３５によって側板１３ａ，１３ｂの拡開変位を規制する機能の信頼性が高い。
【００２２】
また、側板１３ａ，１３ｂの一部が外側への弾性変位可能な係止片１６とされ、係止爪１８が、係止片１６の自由端部に形成されており、貫通孔３６に、係止片１６が外側への弾性変位を可能に貫通され、規制片３５の基端部３４側領域における側板１３ａ，１３ｂとの対向面に、係止片１６の外側への弾性変位を許容する撓み空間３７が形成されている。これにより、カバー３０をケース１０の開口部１１に組み付ける際には、係止片１６が外側、即ちカバー３０の組み付け経路から外れる方向へ弾性変位するようになるので、カバー３０の組付けが容易となる。
【００２３】
また、規制壁２０が、側板１３ａ，１３ｂの基板１２からの延出方向（上下方向）と略平行なリブ２１を介して側板１３ａ，１３ｂに連なる形態としたので、側板１３ａ，１３ｂと規制壁２０は、リブ２１によって曲げ剛性が高められ、規制壁２０と側板１３ａ，１３ｂの湾曲変形が防止される。これにより、規制片３５の湾曲変形も防止される。
【００２４】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。  
（１）上記実施形態ではケースの長さ方向において規制片と係止爪とをほぼ同じ位置に配置したが、本発明によれば、ケースの長さ方向において、規制片と係止爪とが互いにずれた位置に配置してもよい。  
（２）上記実施形態では側板の一部を弾性変位可能な係止片としてその係止片の自由端に係止爪を形成したが、本発明によれば、弾性変形可能な係止片を形成せず、側板の自由端部に係止爪を形成してもよい。  
（３）上記実施形態では、規制壁が、側板の基板からの延出方向と略平行なリブを介して側板と連なるようにしたが、本発明によれば、側板の延出方向に間隔を空けた複数箇所において規制壁と側板とが連なる形態としてもよい。
【図面の簡単な説明】
【００２５】
【図１】ケースとカバーが連結された状態の平面図
【図２】ケースとカバーが連結された状態の底面図
【図３】ケースとカバーが連結された状態の側面図
【図４】ケースとカバーが連結された状態の側面図
【図５】ケースの部分拡大側面図
【図６】カバーの部分拡大側面図
【図７】ケースとカバーの部分拡大底面図
【図８】ケースにカバーを組み付けた状態の部分拡大底面図
【図９】図２のＡ−Ａ線部分断面図
【図１０】ケースにカバーを組み付けた状態の横断面図
【図１１】ケースの横断面図
【図１２】カバーの横断面図
【符号の説明】
【００２６】
１０…ケース
１２…基板
１３ａ，１３ｂ…側板
１６…係止片
１８…係止爪
２０…規制壁
２１…リブ
３０…カバー
３５…規制片
３６…貫通孔
３７…撓み空間
【図１】
2006166616.tif 000003
【図２】
2006166616.tif 000004
【図３】
2006166616.tif 000005
【図４】
2006166616.tif 000006
【図５】
2006166616.tif 000007
【図６】
2006166616.tif 000008
【図７】
2006166616.tif 000009
【図８】
2006166616.tif 000010
【図９】
2006166616.tif 000011
【図１０】
2006166616.tif 000012
【図１１】
2006166616.tif 000013
【図１２】
2006166616.tif 000014